(57)【要約】【課題】本発明は、電力供給を行うための接続端子を備えた電気機器において、電気機器本体の荷重にバラツキが生じても確実に充電を行うことができるとともに、接触回数が増加しても接続端子の破損等が生じない電気機器を提供することを目的とする。【解決手段】充電器７０の本体挿入孔７０ｄに電気機器本体５０を差し込んで装着すると、接続端子５１ｆ、５１ｇのうち電気機器本体５０の裏面５３から露出した部分が、充電器７０の本体挿入口７０ｄの側面７０ｆから突出して設けられた充電端子７０ａ、７０ｂと接触し、電気機器本体５０に内蔵されているバッテリへ充電器７０を介して通電され、バッテリは充電状態となる様にした。【選択図】　　　図４
2004120935.tif 000002
【特許請求の範囲】
【請求項１】
電気機器本体に設けられた第１の接続端子と、前記電気機器本体に密着して取り付け可能であり、前記第１の接続端子に接続される第２の接続端子を有する電池収納本体と、前記電気機器本体の一部が勘合して装着される装着孔を有するとともに、前記第１の接続端子に接続される第３の接続端子を有する充電用部材を有する電気機器において、前記電気機器本体の裏面及び底面に孔が設けられており、前記孔を介して前記第１の接続端子が露出されていることを特徴とする電気機器。
【請求項２】
前記電池収納本体が前記電気機器本体に密着して取り付けられた場合、前記第２の接続端子は、前記電気機器本体の底面に設けられた前記孔を介して露出された前記第１の接続端子と接続され、前記装着孔に前記電気機器本体が装着された場合、前記第３の接続端子は、前記電気機器本体の裏面に設けられた前記孔を介して露出された前記第１の接続端子と接続されることを特徴とする請求項１に記載の電気機器。
【請求項３】
前記電気機器本体に設けられた第１の接続端子を前記充電用部材に設けられた第３の接続端子と係合させるために、前記第１の接続端子に凹部を設けたことを特徴とする請求項１に記載の電気機器。
【発明の詳細な説明】
【０００１】
【発明の属する技術分野】
本発明は、電力供給を行うための接続端子を備えた電気機器に関する。
【０００２】
【従来の技術】
図７（ａ）及び（ｂ）は、従来の電気機器本体の背面図及び底面図であり、図７（ａ）及び（ｂ）において、４は電気機器本体１の底面であり、２、３は各々電気機器本体１の表面と裏面を示している。電気機器本体１の底面４には、外部との電気的接続を行うための接続端子１ａ、１ｂが設けられており、電池が収容された電池ケースを電気機器本体１に取り付けるためのねじ部１ｄが形成されている。又、電気機器本体１の裏面３には、充電器との着脱を行うための係合用凹部１ｃが形成されている。
【０００３】
図８（ａ）及び（ｂ）は、従来の充電器の上面図及び側面図であり、図９は、従来の電気機器本体と充電器を装着した状態を示す概略図であり、図１０は図９のＡ−Ａ断面図である。又、図１１（ａ）及び（ｂ）は、従来の電気機器本体と充電器の電気的接続を説明するための断面図であり、図１２は従来の電気機器本体と充電器の接続構造を説明するための断面図である。図８（ａ）及び（ｂ）において、充電器２０には本体挿入孔２０ｄが設けられており、図９、及び図１０に示す様に、本体挿入孔２０ｄに電気機器本体１の一部が差し込まれて装着される構造となっている。この際、電気機器本体１の底面４側が本体挿入孔２０ｄに差し込まれる。又、図８（ａ）に示す様に、充電器２０には、電気機器本体１との電気的接続を行うための充電端子２０ａ、２０ｂが設けられており、この充電端子２０ａ、２０ｂは、図８（ｂ）に示す様に、本体挿入口２０ｄの底面２０ｅから一部が突出する様に設けられている。図１１（ａ）及び（ｂ）に示す様に、充電器２０の本体挿入孔２０ｄに電気機器本体１を差し込んで装着すると、電気機器本体１の接続端子１ａは充電器２０の充電端子２０ａと、電気機器本体１の接続端子１ｂは充電器２０の充電端子２０ｂと電気的に接続されて電気機器本体１に内蔵されているバッテリ（図示せず）へ充電器２０を介して通電され、バッテリは充電状態となる。又、この際、図１２（ａ）及び（ｂ）に示す様に、電気機器本体１の裏面３に設けられた係合用凹部１ｃと充電器２０に設けられた係合用凸部２０ｃとが係合することにより電気機器本体１と充電器２０の装着状態が維持され、接続端子１ａ、１ｂと充電端子２０ａ、２０ｂの電気的接続を保持することができる（例えば、特許文献１参照）。
【０００４】
図１３（ａ）及び（ｂ）は、従来の電池ケースの正面図及び側面図であり、図１４（ａ）及び（ｂ）は、従来の電気機器本体と電池ケースを装着した状態を示す上面図及び側面図である。又、図１５（ａ）及び（ｂ）は、従来の電気機器本体と電池ケースの電気的接続を説明するための断面図である。図１３（ａ）及び（ｂ）において、１０は電池が収容された電池ケースであり、当該電池ケース１０には電気機器本体１との電気的接続を行うための接続端子１０ａ、１０ｂが設けられるとともに、電池ケース１０を電気機器本体１に取り付けるための取付ねじ１０ｃが形成されている。図１４（ａ）及び（ｂ）に示す様に、電池ケース１０は、電池ケース１０に形成された取付ねじ１０ｃが電気機器１に形成されたねじ部１ｄに取付られて装着される構造となっている。又、電気機器本体１のねじ部１ｄに電池ケース１０の取付ねじ１０ｃを取付けて電池ケース１０を電気機器器本体１に装着すると、図１５（ａ）及び（ｂ）に示す様に、電気機器本体１の接続端子１ａは電池ケース１０の接続端子１０ａと、電気機器本体１の接続端子１ｂは電池ケース１０の接続端子１０ｂと電気的に接続されて、電池ケース１０から電気機器１に内蔵されているバッテリへ電力が供給される。
【０００５】
【特許文献１】
特開平５−１６７４９８号公報（第３−４頁、第１−４図）
【０００６】
【発明が解決しようとする課題】
しかし、上記従来の電気機器の充電構造においては、上述のごとく、外部との電気的接続を行うための接続端子１ａ、１ｂは電気機器本体１の底面４にのみ設けられており、電気機器本体１の底面４側が充電器２０の本体挿入孔２０ｄに差し込まれて装着されると、電気機器本体１の重量により、電気機器本体１の底面４を介して、電気機器本体１の接続端子１ａ、１ｂと充電器２０の充電端子２０ａ、２０ｂが接触する構造となっている。従って、電気機器本体１の底面４側が充電器２０の本体挿入孔２０ｄに差し込まれて装着されると、図１１（ｂ）に示す様に、電気機器本体１の挿入方向であるＢ方向に対し、接続端子１ａ、１ｂと充電端子２０ａ、２０ｂの接点荷重は反力となるため、電気機器本体１をＡ方向に押し返すことになり、電気機器本体１の接点荷重にバラツキが生じることになる。その結果、図１６に示す様に、電気機器本体１の接点荷重にバラツキがあると、電気機器本体１を充電器２０の本体挿入孔２０ｄに差し込む際に電気機器本体１が傾くため、接続端子１ａ、１ｂと充電端子２０ａ、２０ｂの接触が得られず、結果として電気機器本体１に内蔵されたバッテリの充電ができないという問題があった。又、上述のごとく、外部との電気的接続を行うための接続端子１ａ、１ｂは電気機器本体１の底面４にのみ設けられているため、電気機器本体１の接続端子１ａ、１ｂが、充電器２０の充電端子２０ａ、２０ｂ、又は、電池ケース１０の接続端子１０ａ、１０ｂと接触する位置が一ヶ所に集中してしまう。その結果、接触回数が増加すると電気機器本体１の接続端子１ａ、１ｂの破損等が生じてしまい、接続端子１ａ、１ｂと充電器２０の充電端子２０ａ、２０ｂ、又は、電池ケース１０の接続端子１０ａ、１０ｂの接触不良が起こり、充電等に必要な電気的接続が維持できなくなるという問題が生じていた。更に、上述のごとく、電気機器本体１を充電器２０の本体挿入孔２０ｄに差し込んで装着する際、電気機器本体１の挿入方向であるＢ方向に対し、接続端子１ａ、１ｂと充電端子２０ａ、２０ｂの接点荷重は反力となるため、特に電気機器本体１の重量が軽量化されたものにおいては、接続端子１ａ、１ｂと充電端子２０ａ、２０ｂとの確実な接続を確保するために、電気機器本体１には接続端子１ａ、１ｂとは別に係合用凹部１ｃを設ける必要があり、電気機器本体１の構造が複雑になるとともに外観の見映えも悪くなるという問題があった。
【０００７】
本発明は、上記問題点を解決し、電気機器本体の荷重のバラツキが生じても確実に充電を行うことができるとともに、接触回数が増加しても接続端子の破損等が生じない電気機器を提供することを目的とする。
【０００８】
【課題を解決するための手段】
上記目的を達成するために、本発明は、電気機器本体に設けられた第１の接続端子と、前記電気機器本体に密着して取り付け可能であり、前記第１の接続端子に接続される第２の接続端子を有する電池収納本体と、前記電気機器本体の一部が勘合して装着される装着孔を有するとともに、前記第１の接続端子に接続される第３の接続端子を有する充電用部材を有する電気機器において、前記電気機器本体の裏面及び底面に孔が設けられており、前記孔を介して前記第１の接続端子が露出されていることを特徴とする。
【０００９】
この構成によると、電池収納本体は電気機器本体に密着した状態で装着される。電気機器本体に設けられた第１の接続端子は、電池収納本体に設けられた第２の接続端子と電気的に接続されて、電池収納本体から電気機器本体に内蔵されているバッテリへ電力が供給される。又、電気機器本体は充電用部材の装着孔に差し込まれて装着される。電気機器本体に設けられた第１の接続端子は、充電用部材に設けられたの第３の接続端子と電気的に接続されて、電気機器本体に内蔵されているバッテリへ充電部材を介して通電され、バッテリは充電される。
【００１０】
又、本発明は、前記電池収納本体が前記電気機器本体に密着して取り付けられた場合、前記第２の接続端子は、前記電気機器本体の底面に設けられた前記孔を介して露出された前記第１の接続端子と接続され、前記装着孔に前記電気機器本体が装着された場合、前記第３の接続端子は、前記電気機器本体の裏面に設けられた前記孔を介して露出された前記第１の接続端子と接続されることを特徴とする。この構成によると、電池収納本体と充電用部材は、異なる接続点を介して電気機器本体に接続される。
【００１１】
又、前記電気機器本体に設けられた第１の接続端子を前記充電用材に設けられた第３の接続端子と係合させるために、前記第１の接続端子に凹部を設けることができる。
【００１２】
この構成によると、第１の接続端子に設けられた凹部と、充電用部材に設けられた第３の接続端子とが係合され、電気機器本体と充電用部材の装着状態が維持される。
【００１３】
【発明の実施の形態】
以下、図面を参照して、本発明の実施形態を詳細に説明する。図１（ａ）及び（ｂ）は、本発明に係る電気機器本体の背面図及び底面図であり、図２は図１（ｂ）のＡ−Ａ、又はＢ−Ｂ断面図である。
【００１４】
図１（ｂ）において、５４は電気機器本体５０の底面であり、５２、５３は各々電気機器本体５０の表面と裏面を示している。又、電気機器本体５０の底面５４には、外部との電気的接続を行うための接続端子５１ｆ、５１ｇが設けられているが、図１（ａ）に示す様に、この接続端子５１ｆ、５１ｇは電気機器本体５０の裏面５３にも設けられている。即ち、図２に示す様に、電気機器本体５０の裏面５３から底面５４にかけて孔５５が形成されており、接続端子５１ｆ、及び５１ｇは、各々、この孔５５を介して、裏面５３から底面５４にかけて略一体的に露出されて形成されている。又、図１（ｂ）に示す様に、電気機器本体５０の底面５４には、電池が収容された電池ケースを電気機器本体５０に取り付けるためのねじ部５１ｄが形成されている。尚、電気機器本体５０の裏面５３には、図７（ａ）で示した従来技術とは異なり、充電器との着脱を行うための係合用凹部は形成されていない。
【００１５】
図３（ａ）及び（ｂ）は、本発明の電気機器における充電器の上面図及び側面図であり、図４（ａ）及び（ｂ）は、本発明の電気機器における電気機器本体と充電器の電気的接続を説明するための断面図である。又、図５（ａ）及び（ｂ）は、本発明の電気機器における電気機器本体と充電器の接続構造を説明するための断面図であり、図６（ａ）及び（ｂ）は、本発明の電気機器における電気機器本体と電池ケースの電気的接続を説明するための断面図である。
【００１６】
図３（ａ）及び（ｂ）において、充電器７０には本体挿入孔７０ｄが設けられており、図９、及び図１０に示す従来技術と同様に、本体挿入孔７０ｄに電気機器本体５０の底面５４が差し込まれて装着される構造となっている。又、充電器７０には、電気機器本体５０との電気的接続を行うための充電端子７０ａ、７０ｂが設けられており、この充電端子７０ａ、７０ｂは、図４（ａ）に示す様に、本体挿入口７０ｄの側面７０ｆから突出して設けられている。
【００１７】
以上の構成において、以下、その動作について説明する。図４（ａ）及び（ｂ）に示す様に、充電器７０の本体挿入孔７０ｄに電気機器本体５０を差し込んで装着すると、電気機器本体５０の接続端子５１ｆは充電器７０の充電端子７０ａと、電気機器本体５０の接続端子５１ｇは充電器７０の充電端子７０ｂと電気的に接続されて電気機器本体５０に内蔵されているバッテリ（図示せず）へ充電器７０を介して通電され、バッテリは充電状態となる。
【００１８】
ここで、本実施形態においては、電気機器本体１の重量により、電気機器本体１の底面４を介して、電気機器本体１の接続端子１ａ、１ｂと充電器２０の充電端子２０ａ、２０ｂが接触する構造となっている上記従来技術とは異なり、図４（ｂ）に示す様に、電気機器本体５０の接続端子５１ｆ、５１ｇと充電器７０の充電端子７０ａ、７０ｂの接続に際し、電気機器本体５０の裏面５３から露出した接続端子５１ｆ、５１ｇの部分が、充電器７０の本体挿入口７０ｄの側面７０ｆから突出して設けられた充電端子７０ａ、７０ｂと接触することににより、上記充電状態が達成される。
【００１９】
従って、本実施形態によれば、電気機器本体５０の底面５４側が充電器７０の本体挿入孔７０ｄに差し込まれて装着されると、図４（ｂ）に示す様に、電気機器本体５０の挿入方向であるＢ方向に対し、接続端子５１ｆ、５１ｇと充電端子７０ａ、７０ｂの接点荷重は電気機器本体５０の表面５２の方向であるＤ方向に作用するため、電気機器本体５０をＡ方向に押し返すことがなくなる。その結果、電気機器本体５０の接点荷重にバラツキが生じても、本実施形態においては、図１６に示した従来技術とは異なり、電気機器本体５０を充電器７０の本体挿入孔７０ｄに差し込む際に電気機器本体５０が傾くことがなくなるため、接続端子５１ｆ、５１ｇと充電端子７０ａ、７０ｂの確実な接触状態が保持されるとともに、電気機器本体５０に内蔵されたバッテリの充電を確実に行うことができる。
【００２０】
又、本実施形態においては、上述のごとく、電気機器本体５０の裏面５３には充電器との着脱を行うための係合用凹部は形成されていないが、図５（ａ）及び（ｂ）に示す様に、電気機器本体５０の裏面５３から露出し、充電器７０の本体挿入口７０ｄの側面７０ｆから突出して設けられた充電端子７０ａ、７０ｂと接触する接続端子５１ｆ、５１ｇの一部に、係合用凹部５１ｈが設けられている。
【００２１】
つまり、本実施形態によれば、図５（ａ）及び（ｂ）に示す様に、接続端子５１ｆ、５１ｇのうち、電気機器本体５０の裏面５３から露出した部分に形成された係合用凹部５１ｈと、充電器７０に設けられた充電端子７０ａ、７０ｂとが係合することにより電気機器本体５０と充電器７０の装着状態が維持される。
【００２２】
従って、本実施形態によれば、上述のごとく、接続端子５１ｆ、５１ｇと充電端子７０ａ、７０ｂとの確実な接触を確保するために接続端子５１ｆ、５１ｇの一部に係合用凹部５１ｈを形成しているので、特に、電気機器本体５０の重量が軽量化されたものにおいても、電気機器本体５０の裏面５３に、別途、係合用凹部を設ける必要がない。よって、電気機器本体５０の構造を単純化することができるとともに外観を向上させることができる。又、電気機器本体５０の裏面５３に係合用凹部を別途設けることなく、電気機器本体５０を充電器７０に装着する際のロック感触を得ることができる。
【００２３】
又、本実施形態においては、図６（ａ）及び（ｂ）に示す様に、電池ケース６０を電気機器器本体５０に装着し密着させると、電気機器本体５０の接続端子５１ｆ、５１ｇは、電池ケース６０の側面６１に設けられた接続端子６０ａ、６０ｂと電気的に接続されて、電池ケース６０から電気機器本体５０に内蔵されているバッテリ（図示せず）へ電力が供給される。
【００２４】
ここで、本実施形態においては、図６（ｂ）に示す様に、電気機器本体５０の接続端子５１ｆ、５１ｇと電池ケース６０の接続端子６０ａ、６０ｂの接続に際し、接続端子５１ｆ、５１ｇのうち、電気機器本体５０の底面５４から露出した部分が電池ケース６０の接続端子６０ａ、６０ｂと接触することにより、上記接続状態が達成される。尚、電気機器本体５０の底面５４から露出した接続端子５１ｆ、５１ｇとの接続を確保するために、電池ケース６０の側面６１に形成された接続端子６０ａ、６０ｂは、電池ケースの底面６２側寄りに設けられている。
【００２５】
即ち、本実施形態においては、図４（ｂ）において説明した様に、電気機器本体５０と充電器７０を接続する場合は、接続端子５１ｆ、５１ｇのうち電気機器本体５０の裏面５３から露出した部分が、充電器７０の本体挿入口７０ｄの側面７０ｆから突出して設けられた充電端子７０ａ、７０ｂと接触し、電気機器本体５０と電池ケース６０を接続する場合は、図６（ｂ）において説明した様に、接続端子５１ｆ、５１ｇのうち電気機器本体５０の底面５４から露出した部分が、電池ケース６０の側面６１に設けられた接続端子６０ａ、６０ｂと接触する構成となっている。
【００２６】
以上より、本実施形態においては、電気機器本体５０の接続端子５１ｆ、５１ｇは裏面５３と底面５４の２面に露出しており、電気機器本体５０に接続される機器に応じて接続点が異なるため、電気機器本体５０の接続端子５１ｆ、５１ｇが、充電器２０の充電端子２０ａ、２０ｂ、又は、電池ケース１０の接続端子１０ａ、１０ｂと接触する位置を分散することができる。その結果、接触回数の増加に伴う、電気機器本体１の接続端子１ａ、１ｂの破損や接触不良等の弊害を回避でき、充電等に必要な電気的接続を確実に保持することができる。
【００２７】
尚、本発明は、上記実施の形態に限定されるものではなく、本発明の趣旨に基づいて各部の構造、形状等を適宜変更することが可能であり、それらを本発明の範囲から除外するものではない。
【００２８】
【発明の効果】
本発明によると、電気機器本体を充電器の本体挿入孔に差し込んで装着した場合に、電気機器本体の接点荷重にバラツキが生じても、電気機器本体が傾くことがなくなるため、電気機器本体の接続端子と充電器の充電端子の確実な接触状態を保持することができる。
【００２９】
又、本発明によると、電気機器本体に設けられた接続端子の一部に係合用凹部を形成しているので、電気機器本体に、別途、係合用凹部を設けなくても接続端子と充電端子との確実な接触を確保することができる。
【００３０】
又、本発明によると、電気機器本体の接続端子は裏面と底面の２面に露出しており、電気機器本体に接続される機器に応じて接続点が異なるため、接触回数の増加に伴う、接続端子の破損や接触不良等の弊害を回避できる。
【図面の簡単な説明】
【図１】は、本発明に係る電気機器本体の背面図及び底面図である。
【図２】は、図１のＡ−Ａ、又はＢ−Ｂ断面図である。
【図３】は、本発明の電気機器における充電器の上面図及び側面図である。
【図４】は、本発明の電気機器における電気機器本体と充電器の電気的接続を説明するための断面図である。
【図５】は、本発明の電気機器における電気機器本体と充電器の接続構造を説明するための断面図である。
【図６】は、本発明の電気機器における電気機器本体と電池ケースの電気的接続を説明するための断面図である。
【図７】は、従来の電気機器本体の背面図及び底面図である。
【図８】は、従来の充電器の上面図及び側面図である。
【図９】は、従来の電気機器本体と充電器を装着した状態を示す概略図である。
【図１０】は、図９のＡ−Ａ断面図である。
【図１１】は、従来の電気機器本体と充電器の電気的接続を説明するための断面図である。
【図１２】は、従来の電気機器本体と充電器の接続構造を説明するための断面図である。
【図１３】は、従来の電池ケースの正面図及び側面図である。
【図１４】は、従来の電気機器本体と電池ケースを装着した状態を示す上面図及び側面図である。
【図１５】は、従来の電気機器本体と電池ケースの電気的接続を説明するための断面図である。
【図１６】は、従来の電気機器本体の接点荷重を説明するための図である、
【符号の説明】
５０　　電気機器本体
５１ｆ、ｇ　　接続端子
５２　　電気機器本体表面
５３　　電気機器本体裏面
５４　　電気機器本体底面
５５　　孔
６０　　電池ケース
６０ａ、ｂ　　接続端子
７０　　充電器
７０ａ、ｂ　　充電端子
７０ｄ　　本体挿入孔
【図１】
2004120935.tif 000003
【図２】
2004120935.tif 000004
【図３】
2004120935.tif 000005
【図４】
2004120935.tif 000006
【図５】
2004120935.tif 000007
【図６】
2004120935.tif 000008
【図７】
2004120935.tif 000009
【図８】
2004120935.tif 000010
【図９】
2004120935.tif 000011
【図１０】
2004120935.tif 000012
【図１１】
2004120935.tif 000013
【図１２】
2004120935.tif 000014
【図１３】
2004120935.tif 000015
【図１４】
2004120935.tif 000016
【図１５】
2004120935.tif 000017
【図１６】
2004120935.tif 000018